(57)【要約】【課題】重量物である配電盤中板の配電盤筐体への取付作業を容易にすると共に、筐体の損傷を抑制して美観を向上させる配電盤筐体への中板取付用治具を提供する。【解決手段】治具４は、正面に開口する箱形の配電盤筐体１の壁部１０に対し、電気機器が実装される中板２を筐体１の底部１３から浮かせた所定取付位置ｐｏ１へ取り付ける際に用いるもので、中板２を載置するための平坦面４０ｆを有する載置部４０と、載置部４０を支持する土台部４１とを有する。平坦面４０ｆを壁部１０に突き合わせた状態で設置した場合に、所定取付位置ｐｏ１に取り付けたときの中板２の下端２ａと平坦面４０ｆとの高さが一致するように、載置部４０及び土台部４１の高さ寸法が設定可能に構成されている。【選択図】図３
2013240198.tif 000002
【特許請求の範囲】
【請求項１】
正面に開口する箱形の配電盤筐体の壁部に対し、電気機器が実装される中板を前記筐体の底部から浮かせた所定取付位置へ取り付ける際に用いる治具であって、
前記中板を載置するための平坦面を有する載置部と、前記載置部を支持する土台部とを具備してなり、前記平坦面を前記壁部に突き合わせた状態で設置した場合に、前記所定取付位置に取り付けたときの前記中板の下端と前記平坦面との高さが一致するように、前記載置部及び前記土台部の高さ寸法が設定されている又は設定可能に構成されていることを特徴とする配電盤筐体への中板取付用治具。
【請求項２】
前記土台部は伸縮自在な脚部を有し、前記脚部の伸縮に応じて前記平坦面の高さ位置が可変に構成されている請求項１に記載の配電盤筐体への中板取付用治具。
【請求項３】
前記土台部は、前記配電盤筐体の底部を足場とする第一の脚部と、前記配電盤筐体の外部の床面を足場とする第二の脚部とを有し、前記第一の脚部及び前記第二の脚部は、それぞれ独立して伸縮自在に構成されている請求項２に記載の配電盤筐体への中板取付用治具。
【請求項４】
前記配電盤筐体に設けられた被係合部と係合する位置決め部を備え、前記位置決め部が前記被係合部と係合した状態において前記所定取付位置に取り付けたときの前記中板の下端と前記平坦面との高さが一致するように、前記位置決め部と前記平坦面との位置関係が規定されている請求項２又は３に記載の配電盤筐体への中板取付用治具。
【請求項５】
前記被係合部と係合することにより、前記載置部及び前記土台部が前記筐体の幅方向に移動するのを規制する幅方向移動規制部を更に備える請求項４に記載の配電盤筐体への中板取付用治具。
【請求項６】
前記平坦面は、奥側端部を前記配電盤筐体の壁部に突き合わせたときに、手前側端部が前記配電盤筐体の開口から手前にはみ出す寸法に設定されている請求項１〜５のいずれかに記載の配電盤筐体への中板取付用治具。
【請求項７】
前記載置部は、前後方向に沿ってスライド移動可能に前記土台部に支持されている請求項１〜６のいずれかに記載の配電盤筐体への中板取付用治具。
【請求項８】
前記載置部には、前記中板を前記平坦面に載置した状態で仮止めするための仮止め部が設けられている請求項７に記載の配電盤筐体への中板取付用治具。
【請求項９】
正面に開口する箱形の配電盤筐体の壁部に対し、電気機器が実装される中板を前記筐体の底部から浮かせた所定取付位置へ取り付ける方法であって、
前記中板を載置するための平坦面を有する載置部と前記載置部を支持する土台部とを具備する治具を、前記所定取付位置に取り付けたときの前記中板の下端と前記平坦面との高さが一致するように、前記平坦面を前記壁部に突き合わせた状態で設置する工程と、
設置した治具の前記平坦面に前記中板を載置する工程と、
前記平坦面に前記中板を載置した状態で前記中板を前記壁部に締着具を用いて固定する工程と、を含むことを特徴とする配電盤筐体への中板取付方法。
【発明の詳細な説明】
【技術分野】
【０００１】
本発明は、電気機器が実装される中板を配電盤の筐体に取り付ける際に用いる配電盤筐体への中板取付用治具及び配電盤筐体への中板取付方法に関する。
【背景技術】
【０００２】
配電盤は、例えば特許文献１に例示されるように、正面に開口する箱形の配電盤筐体と、筐体に収容され、各種電気機器が実装される中板と、筐体の開口を閉塞する蓋体とを有する。中板は、起立姿勢で筐体の壁部に対し、筐体の底部から浮いた状態で所定の取付位置にネジ等の締着具を用いて取り付けられるのが通例である。
【先行技術文献】
【特許文献】
【０００３】
【特許文献１】特開２０００−１１５９２０号公報
【発明の概要】
【発明が解決しようとする課題】
【０００４】
配電盤は、据え付け現場において組み立てられる。配電盤の納期や工事店の作業等により、配電盤筐体を現場に先に設置し、その後に納入された配電盤中板を筐体に取り付ける場合や、一旦組み立てられた配電盤中板を筐体から取り外して再度取り付ける場合がある。配電盤の中板は、各種の電気機器や配線が実装される鉄板等の金属板であり、例えば３０〜８０Ｋｇの重量物である。中板を筐体に取り付ける際には、力業で、重量物たる中板を筐体の底部から浮いた所定取付位置に持ち上げて位置決めし、ネジやボルトなどの締着具で筐体に固定しなければならず、工事店等の複数の作業者の人力に頼っており、取付作業が大きな負担となっている。
【０００５】
また、配電盤中板は重量物であるので、筐体へ取り付ける際に、例えば中板を引き摺る等により、筐体に傷を付けてしまい、美観が損なわれることが多い。特に、箱形の配電盤筐体が一体物の場合は、中板を持つためのスペースが十分でない筐体内部で中板を持ち上げる必要があるため、筐体の損傷を招来しやすい。
【０００６】
本発明は、このような課題に着目してなされたものであって、その目的は、重量物である配電盤中板の配電盤筐体への取付作業を容易にすると共に、筐体の損傷を抑制して美観を向上させる配電盤筐体への中板取付用治具及び取付方法を提供することである。
【課題を解決するための手段】
【０００７】
本発明は、上記目的を達成するために、次のような手段を講じている。
【０００８】
すなわち、本発明の配電盤筐体への中板取付用治具は、正面に開口する箱形の配電盤筐体の壁部に対し、電気機器が実装される中板を前記筐体の底部から浮かせた所定取付位置へ取り付ける際に用いる治具であって、前記中板を載置するための平坦面を有する載置部と、前記載置部を支持する土台部とを具備してなり、前記平坦面を前記壁部に突き合わせた状態で設置した場合に、前記所定取付位置に取り付けたときの前記中板の下端と前記平坦面との高さが一致するように、前記載置部及び前記土台部の高さ寸法が設定されている又は設定可能に構成されていることを特徴とする。
【０００９】
この構成によれば、中板を載置するための平坦面を配電盤筐体の壁部に突き合わせた状態で設置すると、所定の取付位置に取り付けたときの中板の下端と平坦面との高さが一致するので、重量物である中板を筐体底部から持ち上げる必要がなく、配電盤筐体の壁部に中板を容易に取り付けることが可能となる。それでいて、重量物である中板を筐体底部から持ち上げなくてもよいので、筐体の損傷を抑制して美観を向上することが可能となる。
【００１０】
中板の取付位置が異なる種々の筐体に対応可能な治具を提供してコストを低減するためには、前記土台部は伸縮自在な脚部を有し、前記脚部の伸縮に応じて前記平坦面の高さ位置が可変に構成されているのが好ましい。
【００１１】
筐体の底部と筐体外部の床面との高さ位置が異なる場合であっても、平坦面の高さ位置を適切に調整可能にするためには、前記土台部は、前記配電盤筐体の底部を足場とする第一の脚部と、前記配電盤筐体の外部の床面を足場とする第二の脚部とを有し、前記第一の脚部及び前記第二の脚部は、それぞれ独立して伸縮自在に構成されていることが望ましい。
【００１２】
平坦面の高さ調整を容易にするためには、前記配電盤筐体に設けられた被係合部と係合する位置決め部を備え、前記位置決め部が前記被係合部と係合した状態において前記所定取付位置に取り付けたときの前記中板の下端と前記平坦面との高さが一致するように、前記位置決め部と前記平坦面との位置関係が規定されていることが効果的である。
【００１３】
治具の幅方向のズレを抑制するためには、前記被係合部と係合することにより、前記載置部及び前記土台部が前記筐体の幅方向に移動するのを規制する幅方向移動規制部を更に備えることが好ましい。
【００１４】
中板を持つためのスペースが十分ではない筐体内部で中板を持ち上げる必要をなくして、中板の取付作業をより一層簡易にするためには、前記平坦面は、奥側端部を前記配電盤筐体の壁部に突き合わせたときに、手前側端部が前記配電盤筐体の開口から手前にはみ出す寸法に設定されていることが望ましい。
【００１５】
中板の取付作業をより一層簡易にするためには、前記載置部は、前後方向に沿ってスライド移動可能に前記土台部に支持されていることが好ましい。
【００１６】
載置部のスライド移動によって中板が平坦面から脱落することを防止するためには、前記載置部には、前記中板を前記平坦面に載置した状態で仮止めするための仮止め部が設けられていることが効果的である。
【００１７】
本発明は方法の発明として特定可能である。すなわち、本発明の配電盤筐体への中板取付方法は、正面に開口する箱形の配電盤筐体の壁部に対し、電気機器が実装される中板を前記筐体の底部から浮かせた所定取付位置へ取り付ける方法であって、
前記中板を載置するための平坦面を有する載置部と前記載置部を支持する土台部とを具備する治具を、前記所定取付位置に取り付けたときの前記中板の下端と前記平坦面との高さが一致するように、前記平坦面を前記壁部に突き合わせた状態で設置する工程と、
設置した治具の前記平坦面に前記中板を載置する工程と、
前記平坦面に前記中板を載置した状態で前記中板を前記壁部に締着具を用いて固定する工程と、を含むことを特徴とする。
【００１８】
この方法を実施することによっても、重量物である中板を筐体底部から持ち上げる必要がなく、配電盤筐体の壁部に中板を容易に取り付けることが可能となる。それでいて、重量物である中板を筐体底部から持ち上げなくてもよいので、筐体の損傷を抑制して美観を向上することが可能となる。
【図面の簡単な説明】
【００１９】
【図１】配電盤筐体と中板との位置関係を模式的に示す斜視図。
【図２】配電盤筐体の壁部（背板）に取り付けられた中板を示す図。
【図３】配電盤筐体に設置された治具を側面から見た部分断面図。
【図４】治具を示す平面図。
【図５】配電盤筐体に設置された治具を示す正面図。
【図６】位置決め部及び幅方向移動規制部を示す部分断面図。（ａ）図５におけるＡ−Ａ部位部分断面図。（ｂ）図５におけるＢ−Ｂ部位断面図。
【図７】配電盤筐体に設置した治具を側面から見た部分断面図。
【図８】治具の平坦面の高さ調整を行う様子を示す図。
【図９】載置部をスライド移動して平坦面に中板を載置した様子を示す図。
【図１０】本発明の他の実施形態の治具を示す側面図。
【図１１】本発明の上記以外の実施形態の治具を示す側面図。
【発明を実施するための形態】
【００２０】
本発明の配電盤筐体への中板取付用治具及び取付方法の好適な実施形態を、図面を用いて説明する。
【００２１】
図１に示すように、配電盤は、正面（前方ＦＤ１）に開口する箱形の配電盤筐体１と、筐体１に収容され、各種の電気機器（図示せず）が実装される中板２と、筐体１の開口１ｓを閉塞する蓋体３とを有するのが通例である。本実施形態では、配電盤筐体１は、背板たる壁部１０と、壁部１０の両側端部に設けられる側板部１１・１１と、側板部１１の上端部間に設けられる天板部１２と、側板部１１の下端部間に設けられる底部１３とが一体に形成されている。なお、本実施形態の配電盤には、株式会社因幡電機製作所製の「I Looking」（登録商標）と呼ばれるシリーズ製品を用いているが、これ以外の配電盤にも適用可能である。
【００２２】
本実施形態の治具は、図１に示すように、正面に開口する箱形の配電盤筐体１の壁部１０に対し、電気機器や配線が実装される中板２を取り付ける際に使用される。中板２は、図２に示すように、筐体１の底部１３から浮かせた所定の取付位置ｐｏ１に取り付けられる。なお、本実施形態の治具は、下記構成により中板を容易に引き出せて、施工が容易になることから「I Looking引出し装置」とも呼ばれる。
【００２３】
図３〜図５に示すように、治具４は、中板を載置するための平坦面４０ｆを有する載置部４０と、載置部４０を支持する土台部４１とを有する。
【００２４】
載置部４０は、一枚の板材を塑性変形加工（例えば板金加工等）により適宜折り曲げて形成されており、長方形の平坦面４０ｆが設定された板状の載置部本体４０ａの両側端部を下方に折り曲げて垂下壁４０ｂ・４０ｂが形成されている。載置部本体４０ａは、両側端部に垂下壁４０ｂが形成されることにより、曲げ荷重に対する強度を向上させてある。図３に示すように、前後方向ＦＤにおいて、平坦面４０ｆの奥行き寸法Ｗ１は、配電盤筐体１の壁部１０から開口１ｓまでの奥行き寸法Ｗ２よりも長く設定されている。これにより、平坦面４０ｆは、奥側端部を配電盤筐体１の壁部１０に突き合わせたときに、手前側端部が配電盤筐体１の開口１ｓから手前にはみ出す寸法に設定されていることになる。また、図５に示すように、幅方向ＷＤにおいて、平坦面４０ｆの幅方向寸法Ｗ３は、中板２の幅方向寸法Ｗ４よりも小さく設定されている。
【００２５】
図５に示すように、土台部４１は、一枚の板材を塑性変形加工（例えば板金加工等）により適宜折り曲げて形成されており、載置部４０の載置部本体４０ａに対向する板状の土台部本体４１ａの両側端部を下方に折り曲げて垂下壁４１ｂが形成されている。土台部本体４１ａは、両側端部に垂下壁４１ｂが形成されることにより、曲げ荷重に対する強度を向上させてある。
【００２６】
図５に示すように、土台部本体４１ａ及び載置部本体４０ａの間に、前後方向ＦＤに延びるレール４３が対をなして介在してあり、レール４３により、載置部４０は、前後方向ＦＤに沿ってスライド移動可能に土台部４１に支持されている。また、図３〜図５に示すように、載置部４０には、中板２を平坦面４０ｆに載置した状態で仮止めするための仮止め部４４が設けてある。具体的には、仮止め部４４は、断面Ｌ字部材を載置部４０に設けて、平坦面４０ｆから鉛直方向に起立する起立壁４４ａを形成し、この起立壁４４ａにボルト又はネジを挿通するための挿通孔４４ｈを設けたもので、挿通孔４４ｈを通したボルト又はネジにより中板２を仮止め可能にしてある。
【００２７】
図３〜図５に示すように、土台部４１を構成する垂下壁のうち手前端部と奥側端部は、中央部位よりも更に下方に延在し、その先端を幅方向外側へ折り曲げて、土台部本体４１ａを四箇所で支持するための四つの脚部４５ａ・４５ｂ・４５ｃ・４５ｄを形成している。これら脚部４５ａ・４５ｂ・４５ｃ・４５ｄの先端部に形成されたボルト孔４５ｈに、足場に接触するためのボルトｖｏが取り付けられている。ボルトｖｏを回転させると、ボルト孔４５ｈからのボルトｖｏの突出量Ｄ１を変更でき、これにより、脚部４５ａ・４５ｂ・４５ｃ・４５ｄが伸縮自在に構成されている。四つの脚部４５ａ・４５ｂ・４５ｃ・４５ｄのうち奥側にある二つの脚部４５ａ・４５ｂは、配電盤筐体１の底部１３を足場とする第一の脚部といえ、残りの手前にある二つの脚部４５ｃ・４５ｄは、配電盤筐体１の外部の床面ｅｈを足場とする第二の脚部といえる。第一の脚部４５ａ・４５ｂ及び第二の脚部４５ｃ・４５ｄは、それぞれ別個にボルトｖｏが設けられているので、それぞれ独立して伸縮自在に構成されている。図３に示すように、第一の脚部４５ａ・４５ｂを構成する垂下壁４１ｂの延在距離Ｄ２は、第二の脚部４５ｃ・４５ｄを構成する垂下壁４１ｂの延在距離Ｄ３よりも短く設定されている。というのは、一般的に、配電盤筐体１は、床面ｅｈに設置したベースｂｓ上に設置されるため、第一の脚部４５ａ・４５ｂに要求される脚長は、第二の脚部４５ｃ・４５ｄに要求される脚長よりも短いためである。
【００２８】
すなわち、土台部４１の脚部４５ａ・４５ｂ・４５ｃ・４５ｄを伸縮自在に構成しているので、図４及び図５に示すように、平坦面４０ｆを壁部１０に突き合わせた状態で設置した場合に、所定取付位置ｐｏ１に取り付けたときの中板２の下端２ａと平坦面４０ｆとの高さが一致するように、載置部４０及び土台部４１の高さ寸法が設定可能に構成されていると言える。
【００２９】
図２に示すように、配電盤筐体１の壁部１０から前方ＦＤ１に向かって突出する棒状の被係合部５が設けられており、図３〜図５に示すように、土台部４１には、被係合部５に係合する位置決め部６が設けられている。位置決め部６が被係合部５と係合した状態において所定取付位置ｐｏ１に取り付けたときの中板２の下端２ａと平坦面４０ｆとの高さが一致するように、位置決め部６と平坦面４０ｆとの位置関係が規定されている。具体的には、土台部４１の土台部本体４１ａには、断面Ｌ字部材が設けられ、Ｌ字部材の起立壁６０には、上方を向くＵ字状の溝６１が形成されている。溝６１の溝底６１ｂが上記位置決め部６に設定してある。すなわち、図５及び図６（ａ）に示すように、位置決め部６としての溝底６１ｂを棒状の被係合部５に係合させると、所定取付位置ｐｏ１に取り付けたときの中板２の下端２ａと平坦面４０ｆとの高さが一致するようにしてある。なお、本実施形態では、位置決め部６は、土台部４１に設けているが、載置部４０に設けてもよい。
【００３０】
また、図５、図６（ａ）及び図６（ｂ）に示すように、位置決め部６としての溝底６１ｂと棒状の被係合部５とを係合させた状態では、被係合部５は溝側壁６１ｓ・６１ｓに挟まれるので、載置部４０及び土台部４１が筐体１の幅方向ＷＤに移動するのが規制される。すなわち、被係合部５に係合することにより、載置部４０及び土台部４１が筐体幅方向ＷＤに移動するのを規制する幅方向移動規制部７が、溝側壁６１ｓにより実現されている。
【００３１】
上記構成の治具４を用いて、配電盤筐体１に対して中板２を取り付ける方法について説明する。
【００３２】
まず、図７に示すように、平坦面４０ｆを筐体１の壁部１０に突き合わせた状態に治具４を設置する。この場合、第一の脚部４５ａ（４５ｂ）の足場を筐体１の底部１３とし、第二の脚部４５ｃ（４５ｄ）の足場を筐体１外部の床面ｅｈとする。なお、各々の脚部と足場との間に、板状のスペーサ８を介在させてもよい。本実施形態では、脚部のうち足場に接触する部位が突状をなしているため、足場に掛かる負荷を分散することが可能となる。
【００３３】
次に、図８に示すように、脚部４５ａ・４５ｃ（４５ｃ・４５ｄ）のボルトｖｏを回して脚部を伸縮し、位置決め部６と被係合部５とを係合させる。すると、図３に示すように、所定取付位置ｐｏ１に取り付けたときの中板２の下端２ａと平坦面４０ｆとの高さが一致する。
【００３４】
次に、図９に示すように、載置部４０を前方ＦＤ１にスライド移動させ、平坦面４０ｆに中板２を載置する。このとき、仮止め部４４を介して中板２を載置部４０にネジ等で仮止めする。
【００３５】
次に、図３に示すように、載置部４０を後方にスライド移動させ、中板２を所定の取付位置ｐｏ１に移動させる。そして、平坦面４０ｆに中板２を載置した状態で中板２を壁部に締着具を用いて固定する。
【００３６】
中板２の筐体１壁部１０への取り付けが完了すると、仮止め部４４による仮止めを解除し、治具４を除去する。この際、第一の脚部４５ａ・４５ｂを縮退させれば、中板２の下端２ａと平坦面４０ｆとの接触が解除させるので、円滑に治具を除去することが可能となる。
【００３７】
以上のように、本実施形態の配電盤筐体への中板取付用治具４は、正面に開口する箱形の配電盤筐体１の壁部１０に対し、電気機器が実装される中板２を筐体１の底部１３から浮かせた所定取付位置ｐｏ１へ取り付ける際に用いる治具４であって、中板２を載置するための平坦面４０ｆを有する載置部４０と、載置部４０を支持する土台部４１とを具備してなり、平坦面４０ｆを壁部１０に突き合わせた状態で設置した場合に、所定取付位置ｐｏ１に取り付けたときの中板２の下端２ａと平坦面４０ｆとの高さが一致するように、載置部４０及び土台部４１の高さ寸法が設定可能に構成されている。
【００３８】
このように構成すれば、中板２を載置するための平坦面４０ｆを配電盤筐体１の壁部１０に突き合わせた状態で設置すると、所定の取付位置ｐｏ１に取り付けたときの中板２の下端２ａと平坦面４０ｆとの高さが一致するので、重量物である中板２を筐体底部１３から持ち上げる必要がなく、配電盤筐体１の壁部１０に中板２を容易に取り付けることが可能となる。それでいて、重量物である中板２を筐体底部１３から持ち上げなくてもよいので、筐体１の損傷を抑制して美観を向上することが可能となる。
【００３９】
特に、本実施形態では、土台部４１は伸縮自在な脚部４５ａ・４５ｂ・４５ｃ・４５ｄを有し、脚部４５ａ・４５ｂ・４５ｃ・４５ｄの伸縮に応じて平坦面４０ｆの高さ位置が可変に構成されている。このように構成すれば、脚部４５ａ・４５ｂ・４５ｃ・４５ｄの伸縮によって平坦面４０ｆの高さ位置を所定取付位置ｐｏ１に合うように調整できるので、中板２の取付位置が異なる種々の筐体に対応可能な治具４を提供できる。さらに、単一の治具４で種々の筐体に対応可能であるので、筐体毎に治具を用意する必要がなく、コストを低減することが可能となる。
【００４０】
さらに、本実施形態では、土台部４１は、配電盤筐体１の底部１３を足場とする第一の脚部４５ａ・４５ｂと、配電盤筐体１の外部の床面ｅｈを足場とする第二の脚部４５ｃ・４５ｄとを有し、第一の脚部４５ａ・４５ｂ及び第二の脚部４５ｃ・４５ｄは、それぞれ独立して伸縮自在に構成されている。このように構成すれば、筐体１の底部１３と筐体外部の床面ｅｈとの高さ位置が異なる場合であっても、平坦面４０ｆの高さ位置を所望の高さ位置に適切に調整可能となる。
【００４１】
さらに、本実施形態では、配電盤筐体１に設けられた被係合部５と係合する位置決め部６を備え、位置決め部６が被係合部５と係合した状態において所定取付位置ｐｏ１に取り付けたときの中板２の下端２ａと平坦面４０ｆとの高さが一致するように、位置決め部６と平坦面４０ｆとの位置関係が規定されている。このように構成すれば、脚部４５ａ・４５ｂ・４５ｃ・４５ｄの伸縮によって平坦面４０ｆの高さ位置を調節する際に、位置決め部６を配電盤筐体１に設けられた被係合部５に係合させるだけで、平坦面４０ｆの高さ位置が所定取付位置ｐｏ１に合うので、平坦面４０ｆの高さ調整を容易にして、中板２の取付作業をより一層簡易にすることが可能となる。
【００４２】
さらに、本実施形態では、被係合部５と係合することにより、載置部４０及び土台部４１が筐体１の幅方向ＷＤに移動するのを規制する幅方向移動規制部７を更に備えるので、幅方向へ向かう力が中板２を介して載置部４０及び土台部４１に作用しても、不意にズレることなく、中板２を安定して取り付けることが可能となる。
【００４３】
さらに、本実施形態では、載置部４０は、前後方向ＦＤに沿ってスライド移動可能に土台部４１に支持されているので、配電盤筐体１の壁部１０よりも手前で載置部４０に中板２を乗せ、載置部４０を奥側へスライド移動させるだけで、中板２を配電盤筐体１の壁部１０に移動させることができ、中板２の取付作業をより一層簡易にすることが可能となる。
【００４４】
さらに、本実施形態では、載置部４０には、中板２を平坦面４０ｆに載置した状態で仮止めするための仮止め部４４が設けられている。このように構成すれば、中板２を平坦面４０ｆに載置した状態で仮止め部４４に仮止めすれば、載置部４０のスライド移動によって中板２が平坦面４０ｆから脱落することを防止でき、中板２の取付作業をより一層簡易にすることが可能となる。
【００４５】
上記中板の取付方法を、次のように特定することも可能である。すなわち、正面に開口する箱形の配電盤筐体１の壁部１０に対し、電気機器が実装される中板２を筐体１の底部１３から浮かせた所定取付位置ｐｏ１へ取り付ける方法であって、
中板２を載置するための平坦面４０ｆを有する載置部４０と載置部４０を支持する土台部４１とを具備する治具４を、所定取付位置ｐｏ１に取り付けたときの中板２の下端２ａと平坦面４０ｆとの高さが一致するように、平坦面４０ｆを壁部１０に突き合わせた状態で設置する工程と、
設置した治具４の平坦面４０ｆに中板２を載置する工程と、
平坦面４０ｆに中板２を載置した状態で中板２を壁部１０に締着具を用いて固定する工程と、を含む。この方法を実施することによっても上記と同様の効果を得ることが可能となる。
【００４６】
＜別実施形態＞
本発明は上述した実施形態に何ら限定されるものではなく、本発明の趣旨を逸脱しない範囲内で種々の改良変更が可能である。
【００４７】
例えば、本実施形態では、図３に示すように、土台部１４１の脚部４５ａ・４５ｂ・４５ｃ・４５ｄを伸縮させることによって、平坦面４０ｆの高さ位置を調整可能にしているが、図１０に示すように、治具１０４の脚部１４５ａ・１４５ｃは伸縮自在でなくてもよい。ただし、同図に示すように、所定取付位置ｐｏ１に取り付けたときの中板２の下端と平坦面４０ｆとの高さが一致するように、載置部４０及び土台部１４１の高さ寸法が設定されていればよい。
【００４８】
本実施形態では、載置部４０が前後方向に沿ってスライド移動可能に土台部４１に支持されているが、図１１に示すように、治具２０４にスライド機構（レール４３）が無くてもよい。この場合、平坦面４０ｆは、奥側端部を配電盤筐体１の壁部１０に突き合わせたときに、手前側端部が配電盤筐体１の開口１ｓから手前にはみ出す寸法に設定されているのが好ましい。このように構成すれば、中板２を持ちやすい配電盤筐体１の外側において中板２を平坦面４０ｆに載置し、中板２を平坦面４０ｆに沿って筐体奥側へスライドさせて筐体１の壁部１０に移動させることができるので、中板２を持つためのスペースが十分でない筐体１内部で中板２を持ち上げる必要がなく、中板２の取付作業をより一層簡易にすることが可能となる。
【００４９】
また、本実施形態では、位置決め部６は、溝６１の溝底６１ｂで実現しているが、形状などは種々変更可能である。さらに、位置決め部６自体を治具に設けなくてもよい。同様に、本実施形態では、幅方向移動規制部７は、溝６１の溝側壁６１ｓで実現しているが、形状などは種々変更可能である。さらに、幅方向移動規制部７自体を治具に設けなくてもよい。同様に、仮止め部４４についても、形状や個数を種々変更でき、また、仮止め部４４自体を設けなくてもよい。
【符号の説明】
【００５０】
１…配電盤筐体
１０…配電盤筐体の壁部
２…中板
２ａ…中板の下端
ｐｏ１…所定取付位置
４，１０４，２０４…治具
４０…載置部
４０ｆ…平坦面
４１…土台部
４４…仮止め部
４５ａ・４５ｂ・４５ｃ・４５ｄ…脚部
４５ａ・４５ｂ…第一の脚部
４５ｃ・４５ｄ…第二の脚部
６…位置決め部
７…幅方向移動規制部
【図１】
2013240198.tif 000003
【図２】
2013240198.tif 000004
【図３】
2013240198.tif 000005
【図４】
2013240198.tif 000006
【図５】
2013240198.tif 000007
【図６】
2013240198.tif 000008
【図７】
2013240198.tif 000009
【図８】
2013240198.tif 000010
【図９】
2013240198.tif 000011
【図１０】
2013240198.tif 000012
【図１１】
2013240198.tif 000013